(57)【要約】      （修正有）【課題】コロナ放電等の微弱な高周波電流を検知し、電気機器の絶縁劣化を早期に発見できるコロナ放電等の検知測定装置を提供する。【解決手段】電気機器の接地線あるいは中性線にロゴスキーコイル等の変流器を設置し、コロナ放電等に起因する微弱な高周波電流を連続的に測定し、コロナ放電等の進行過程を把握する。絶縁物の劣化バスタブカーブをベースに余寿命を推定することで、電気設備の劣化状況と回収時期を把握することが出来る。【選択図】図１
2018025523.tif 000002
【特許請求の範囲】
【請求項１】
電気機器の部分放電、コロナ放電や沿面放電（以下コロナ放電等と表記）による微小高周波電流の長期的増加傾向を検知出来る測定回路方式を採用することによる絶縁物の劣化のバスタブ特性を把握することで絶縁物の余寿命を推定する測定装置
【請求項２】
上記測定装置はコロナ放電等により発生する微小な放電電流をロゴスキーコイルまたは、パルスＣＴで検出し、コロナ放電等に含まれる部分放電、コロナ放電、沿面放電から、それぞれ発生する周波数の異なる特定周波数帯をフィルターを通して検知し、整流して直流（ドリフト）に変換し、周期的に数値化して、長期にわたって、ＳＤメモリー等に記録し、定期的にＳＤメモリー等の記録をＰＣ等画像表示装置に表示し、ドリフトの増加傾向から、劣化バスタブカーブと照らし合わせることによる余寿命を推定・把握する測定装置
【請求項３】
［請求項２］で示す方法で検出したコロナ放電等から発生する特定の周波数帯を有する放電電流と基準周波数により、ビートを取り、平滑してドリフトを検出し、［請求項２］と同じ方法でＳＤ等メモリに記憶させることで、以下、［請求項２］に示す方法で余寿命を推定・把握する測定装置
【請求項４】
［請求項２］、［請求項３］に示すＳＤメモリー等のデータをスマホ等通信手段を利用して、遠隔へ伝送する設備
【発明の詳細な説明】
【技術分野】
【０００１】本発明は、コロナ放電等の微弱な高周波電流を検知し、電気機器の絶縁劣化を早期に発見し、電気／電子機器の修理時期や余寿命を予測し、改修することで突然の事故、故障や停電を未然に防ぐためのコロナ放電等の検知測定装置を提供する。
【背景技術】
【０００２】電気機器の中には経年劣化が進み、製品寿命を過ぎていても交換されることなく稼働しているものも有る。最近は、特に、この傾向がみられる。
その為、数多くの電気機器が突然絶縁破壊を起こし、故障し、場合によっては大停電を起こし、復旧に長時間を要する事もある。
最近、電力供給がひっ迫している中でこのような停電や、発送電のトラブルは極めて社会的影響が大きいため、電気設備管理技術者の日常点検は重要度を増している。
しかし、法で定められた電気設備の点検内容では、電気設備の劣化が適切に判断できない方式が、従来通り繰り返されている。さらに、最近は、電気管理技術有資格者の数と電気設備の数にアンバランスが生じており、実態として的確な電気設備の性能検査が十分に実施できない状態が続いている。【０００３】日常点検や定期点検する場合は、現状ある電気機器測定器で測定し判断している。
しかし、絶縁物の劣化を進行させるコロナ放電等の劣化を簡単に、しかも電気を通電中（機器稼働中）に連続して、長期間測定し、絶縁物の劣化進行過程を把握することで余寿命を予測することは、現状では、行われていない。【０００４】稼働中の電気機器のコロナ放電等検知方法は数種類存在するが、いづれも現地で連続測定は、行われていない。一般的には重要設備機器の常時監視用として検査機器も工場などに設置されているものがほとんどである。従って、現地において、活線状態で放電等検知が出来ること望まれている【０００５】一部に携帯型コロナ放電検知機が有るが、ケーシング内に納められた電気機器の放電電圧の変化を保護ケーシングにセンサーを接触検知するやり方である。
本来は、設備検査技術者が行っている騒音測定などで不特定多数の機器の中から異音発生箇所を探し当てるように部分放電発生箇所を探し出す測定方法である。
この方法は、周囲の騒音レベルが高く、その判別は、非常に困難である。
（以下、電気・電子機器収納箱をケーシングと称する）【０００６】電気設備には欠くことの出来ない電源盤や分電盤に組み込まれているブレーカーや避雷器等の点検は、盤の扉を開けて機器の異常の有無を調査しなければならない。
この時、コロナ放電等が発生していないかを連続的に、かつ、簡単に測定できるセンサーが望まれている。【０００７】電源盤の検査で、避雷器が正常かどうかの判定はアース線に漏れ電流が発生して無いかを測定する。しかし、近年避雷器も酸化亜鉛式からギャップ式も混在する状況になっているので、漏電検知だけでなく、コロナ放電しているか否かも故障判定に加えることが望ましい。【０００８】トランスの劣化を調査する為には、電気を止めてトランスの中の油を抜き取り成分分析し劣化具合判定している。電気を止めずにもっと簡単に劣化診断出来る測定器が望まれている。【０００９】電力ケーブルは、ピットなどにおいて、多数敷設されており、その中から電力ケーブルのどこから放電現象を起こしているか特定するのは非常に難しい。
その難しい初期の放電現象を検知出来る測定器が望まれている。
【先行技術文献】
【００１０】
【特許文献】
【特許文献】  特に無し
【発明の概要】
【発明が解決しようとする課題】
【００１１】前述の背景技術では、従来のコロナ放電等測定においてはコロナ放電等電流をコンデンサで積分することによるその電荷量を測定する方式のため、重要な周波数特性が消滅することで測定感度が低下し、電源ノイズなどの問題で制約が大きく現地での測定が難しい。本発明は、コロナ放電等から発生する高周波電流を長期連続的に計測することで、コロナ放電等の進行過程を把握し、絶縁物の劣化バスタブカーブをベースに余寿命を推定することで、電気設備の劣化状況と回収時期を把握することが出来る。【００１２】検出コイルとして、ロゴスキーコイルを採用する場合は、パルスＣＴの場合と異なり、停電させる必要はない。
【課題を解決するための手段】
【００１３】図１において、電気機器：２内で発生したコロナ放電源等：３から放射されたコロナ放電等電流：１０は、矢印に示すようにコロナ等放電点：３から放出され、電気機器実装ケース（ケーシング等）：１を通り、Ａ種、Ｃ種、Ｄ種接地：４から大地に流れ、Ｂ種接地：５、コロナ等放電電流検出用コイル：６を経由して、コロナ等放電点：３に還流する。
コロナ等放電電流を検出コイル：６で検出し、バンドパスフィルター（１０ｋＨＺ、１０ＭＨＺ）を通すか、ビート回路を通し、整流する回路：７で、ほぼ直流（ドリフト信号）に変換した後、定期的にＡ／Ｄ変換し、ＳＤメモリ等を内蔵した回路：８にて、ドリフトデータを記憶させる。
毎月、ＳＤメモリを取り出し、ＰＣ等表示装置：９で、コロナ放電等の発生過程をトレンドの過程で把握することで、電気機器の劣化進行過程を把握する。
これより、絶縁物の劣化バスタブカーブの考え方を適用することで、電気機器の劣化進行状況及び余寿命を連続的測定で実現できる。
【図面の簡単な説明】
【００１４】
【図１】コロナ放電等の放電電流の検出するための回路図
【符号の説明】
【００１５】１  電気設備機器ケーシング
２  電気設備機器
３  コロナ放電等発生部位
４  Ａ種、Ｃ種、Ｄ種接地
５  Ｂ種接地
６  コロナ放電等検出コイル
７  コロナ放電等放電電流検出／整形回路
８  ＳＤメモリ
９  ＰＣ等表示装置
【図１】
2018025523.tif 000003